(57)【特許請求の範囲】
【請求項１】
（ａ）空気流を発生させる送風手段と、
（ｂ）水を霧化した霧化水を発生させる霧化手段と
（ｃ）前記送風手段の発生した空気流に、前記霧化手段の発生した霧化水が混入した加湿風を吹き出す加湿風通路と、
（ｄ）前記送風手段の発生した空気流に、前記霧化手段の発生した霧化水が混入されない通常風を吹き出す通常風通路と、
（ｅ）この通常風通路の吹出口の近傍に配置されるとともに、前記加湿風通路内に生じた結露水を供給可能に配置され、供給された結露水を前記通常風通路を流れる通常風によって蒸発させる蒸発材とを備え、
（ｆ）前記蒸発材（２４）は、前記通常風通路（２３）内に配置されるとともに、
前記蒸発材（２４）が配される前記通常風通路（２３）の通路面積は、前記加湿風通路（２２）の通路面積よりも大きく設けられ、
（ｇ）前記加湿風通路（２２）および前記通常風通路（２３）は、この通常風通路（２３）内の通常風が前記加湿風通路（２２）の周囲を流れる２重ダクト（２１）よりなり、 この２重ダクト（２１）の吹出口は、中央部より加湿風が吹き出され、周囲から通常風が吹き出されるものであり、
（ｈ）前記２重ダクト（２１）は、前記通常風通路（２３）と、当該通常風通路（２３）内に軸方向に沿って延びる前記加湿風通路（２２）とを有して、中央部から加湿風を吹き出し、その周囲から通常風を吹き出すものであり、
（ｉ）前記蒸発材（２４）は、前記通常風通路（２３）内において複数配置され、これら複数の前記蒸発材（２４）は、吸水性および蒸発性に優れた板状のもので、前記通常風通路（２３）と前記加湿風通路（２２）との間に放射状に配置されるものであり、
（ｊ）複数の前記蒸発材（２４）は、前記加湿風通路（２２）内と連通して、前記加湿風通路（２２）内から結露水が前記蒸発材（２４）に供給されることを特徴とする空気調和装置。
【請求項２】
請求項１の空気調和装置において、
前記加湿風通路（２２）には、前記通常風通路（２３）内と連通する複数の切欠部（２５）が形成されており、
それぞれの切欠部（２５）には、前記蒸発材（２４）が配置されていて、前記蒸発材（２４）が前記加湿風通路（２２）内と連通して、前記加湿風通路（２２）内から結露水が前記蒸発材（２４）に供給されることを特徴とする空気調和装置。
【請求項３】
請求項１または請求項２の空気調和装置において、
前記加湿風通路（２２）と前記蒸発材（２４）とは、吸水性および蒸発性に優れた材料で一体成形されていることを特徴とする空気調和装置。
【請求項４】
請求項３の空気調和装置において、
前記２重ダクトは、可撓性を有する
ことを特徴とする空気調和装置。
【請求項５】
請求項４の空気調和装置において、
前記２重ダクトの少なくとも前記通常風通路には、空気を冷却する冷却手段によって冷却された空気が供給可能に設けられた
ことを特徴とする空気調和装置。
【発明の詳細な説明】
【０００１】
【産業上の利用分野】
本発明は、水を霧化した霧化水を吹き出し、霧化水が空気中の潜熱を奪って蒸発することにより吹出空気の温度が下げられる空気調和装置に関する。
【０００２】
【従来の技術】
霧化水によって吹き出し温度を下げる技術として、特開平６−１１５３４７号公報に開示された空気調和装置が知られている。この空気調和装置は、冷却空気を吹き出す冷却空気吹出口の周囲に、白霧を含む加湿空気を吹き出す加湿空気吹出口を設け、周囲の加湿風が内部の冷却風の温度上昇を抑え、冷却風を効率的に人体に与えるものである。
【０００３】
【発明が解決しようとする課題】
加湿風の流れる加湿風通路の内壁には、霧化水が付着して結露水が発生する。この結露水は、成長して水滴となり、その後、加湿風の流れに乗って吹出口から吹き出される。吹出口から吹き出された水滴は、床を濡らしたり、人体に到達して不快感を与えることがある。
【０００４】
【発明の目的】
本発明は、上記の事情に鑑みてなされたもので、その目的は、吹出口から水滴が吹き出されない、加湿風を吹き出すことのできる空気調和装置の提供にある。
【０００５】
【課題を解決するための手段】
本発明の空気調和装置は、次の技術的手段を採用した。
〔請求項１の手段〕
空気調和装置は、
（ａ）空気流を発生させる送風手段と、
（ｂ）水を霧化した霧化水を発生させる霧化手段と
（ｃ）前記送風手段の発生した空気流に、前記霧化手段の発生した霧化水が混入した加湿風を吹き出す加湿風通路と、
（ｄ）前記送風手段の発生した空気流に、前記霧化手段の発生した霧化水が混入されない通常風を吹き出す通常風通路と、
（ｅ）この通常風通路の吹出口の近傍に配置されるとともに、前記加湿風通路内に生じた結露水を供給可能に配置され、供給された結露水を前記通常風通路を流れる通常風によって蒸発させる蒸発材とを備え、
（ｆ）前記蒸発材（２４）は、前記通常風通路（２３）内に配置されるとともに、
前記蒸発材（２４）が配される前記通常風通路（２３）の通路面積は、前記加湿風通路（２２）の通路面積よりも大きく設けられ、
（ｇ）前記加湿風通路（２２）および前記通常風通路（２３）は、この通常風通路（２３）内の通常風が前記加湿風通路（２２）の周囲を流れる２重ダクト（２１）よりなり、 この２重ダクト（２１）の吹出口は、中央部より加湿風が吹き出され、周囲から通常風が吹き出されるものであり、
（ｈ）前記２重ダクト（２１）は、前記通常風通路（２３）と、当該通常風通路（２３）内に軸方向に沿って延びる前記加湿風通路（２２）とを有して、中央部から加湿風を吹き出し、その周囲から通常風を吹き出すものであり、
（ｉ）前記蒸発材（２４）は、前記通常風通路（２３）内において複数配置され、これら複数の前記蒸発材（２４）は、吸水性および蒸発性に優れた板状のもので、前記通常風通路（２３）と前記加湿風通路（２２）との間に放射状に配置されるものであり、
（ｊ）複数の前記蒸発材（２４）は、前記加湿風通路（２２）内と連通して、前記加湿風通路（２２）内から結露水が前記蒸発材（２４）に供給されることを特徴とする。
【０００６】
〔請求項２の手段〕
請求項１の空気調和装置において、
前記加湿風通路（２２）には、前記通常風通路（２３）内と連通する複数の切欠部（２５）が形成されており、
それぞれの切欠部（２５）には、前記蒸発材（２４）が配置されていて、前記蒸発材（２４）が前記加湿風通路（２２）内と連通して、前記加湿風通路（２２）内から結露水が前記蒸発材（２４）に供給されることを特徴とする。
【０００７】
〔請求項３の手段〕
請求項１または請求項２の空気調和装置において、
前記加湿風通路（２２）と前記蒸発材（２４）とは、吸水性および蒸発性に優れた材料で一体成形されていることを特徴とする。
【０００８】
〔請求項４の手段〕
請求項３の空気調和装置において、
前記２重ダクトは、可撓性を有することを特徴とする。
【０００９】
〔請求項５の手段〕
請求項４の空気調和装置において、
前記２重ダクトの少なくとも前記通常風通路には、空気を冷却する冷却手段によって冷却された空気が供給可能に設けられたことを特徴とする。
【００１０】
【作用および発明の効果】
〔請求項１の作用および効果〕
送風機が作動するとともに、霧化手段が作動すると、加湿風通路からは霧化水が含まれた加湿風が吹き出されるとともに、通常風通路からは霧化水が含まれない通常風が吹き出される。
加湿風中に混入した加湿風中の霧化水は、周囲の風から熱を奪って蒸発し、風は潜熱が奪われて冷風となる。
【００１１】
冷却風通路内には霧化水を含んだ空気が流れるため、霧化水が加湿風通路の内壁に結露し、結露水が加湿風の流れによって吹出口に導かれる可能性がある。吹出口近傍に導かれた結露水は、通常風通路の吹出口の近傍に配置された蒸発材に供給される。蒸発材に供給された結露水は、通常風通路から吹き出される通常風によって蒸発する。
【００１２】
このように、加湿風通路内に発生した結露水は、蒸発材に供給されて通常風によって蒸発されるため、結露水が吹出口から吹き出されない。このため、結露水が床を濡らしたり、人体に結露水が付着することが防がれ、使用者に不快感を与えない。
なお、結露水が蒸発材から蒸発する際に通常風から潜熱を奪うため、通常風の温度を下げ、使用者の冷風感を増すことができる。
【００１３】
蒸発材を通常風通路内に配置し、通常風通路の通路面積を加湿風通路の通路面積よりも大きくすることで、蒸発材の面積を大きく取ることができる。このように、蒸発材の面積を大きくすることによって、蒸発材と通常風との接触面積が大きくなり、蒸発材が蒸発させる結露水の蒸発量を多くすることができる。
【００１４】
２重ダクトの中央部より加湿風を吹き出し、周囲から通常風を吹き出させることにより、加湿風が通常風に覆われた状態で吹き出される。これによって、温度の低い加湿風が遠方に到達する前に周囲に拡散することが防がれ、温度の低い加湿風を効率良く遠方へ到達させることができる。
〔請求項３の作用および効果〕
加湿風通路（２２）と蒸発材（２４）とを吸水性と蒸発性に優れた材料によって一体に成形されることにより、加湿風通路（２２）に発生した結露水が確実に加湿風通路（２２）および蒸発材（２４）に吸収され、通常風通路（２３）を流れる通常風によって蒸発する。
【００１５】
〔請求項４の作用および効果〕
加湿風通路および通常風通路を構成する２重ダクトを可撓性にすることにより、吹出口から吹き出される吹き出し風の向きを、使用者の好みに応じて変更することができ、使い勝手に優れる。
【００１６】
〔請求項５の作用および効果〕
冷却手段によって冷却された冷風を少なくとも通常風通路から吹き出させることにより、加湿風通路から吹き出される加湿風による冷風と、通常風通路から吹き出される冷風とによって、空気調和装置による冷却能力を高くすることができる。
【００１７】
【実施例】
次に、本発明の空気調和装置を、図に示す実施例に基づき説明する。
〔第１実施例の構成〕
図１ないし図８は本発明を置型のスポット冷風機に適用した第１実施例を示すもので、図１はスポット冷風機の断面図である。
本実施例のスポット冷風機１は、使用者にスポット的に冷風を与えるもので、大別して、使用者に送られる空気を冷却するエバポレータ２（冷却手段に相当する）を備えた冷凍サイクル３と、水を霧化して霧化水を発生させる霧化手段４と、エバポレータ２を通過した空気を吹出口５から使用者に向けて送る吹出空気通路６と、冷凍サイクル３のコンデンサ７を通過した空気を使用者とは異なる放出口（図示しない）から放出する放出空気通路８と、吹出空気通路６内においてエバポレータ２を通過した空気を使用者に送る空気流を発生させるとともに、放出空気通路８内においてコンデンサ７を通過した空気を放出口に送る空気流を発生させる送風手段９と、霧化手段４に水を供給する水タンク（図示しない）と、エバポレータ２で発生したドレン水を蓄えるドレンタンク１０と、各電気機能部品を通電制御する制御装置（図示しない）とから構成されている。
【００１８】
冷凍サイクル３は、冷媒を吸入、圧縮、吐出するコンプレッサ１２、コンプレッサ１２の吐出した高温高圧のガス冷媒を凝縮液化するコンデンサ７、コンデンサ７が液化した液化冷媒を減圧膨張させる膨張弁（図示しない）、膨張弁で霧化した冷媒を空気から潜熱を奪って蒸発させるエバポレータ２からなり、それぞれを冷媒配管（図示しない）で接続した周知構成のもので、コンプレッサ１２は例えば電動モータ（図示しない）によって回転駆動される。
【００１９】
送風手段９は、両軸式ファンで、通電により軸を回転させるモータ１３、このモータ１３の両側に突出したそれぞれの軸に取り付けられた遠心式のエバポレータファン１４、および軸流式のコンデンサファン１５から構成される。そして、エバポレータファン１４が回転駆動されると、吹出空気通路６内に空気流が生じてエバポレータ２を通過した空気が吹出口５から吹き出される。この時、コンデンサファン１５も回転駆動されて、放出空気通路８内に空気流が生じ、コンデンサ７を通過した空気が放出口から放出される。
【００２０】
本実施例の霧化手段４は、所定容量の水タンクから水が供給され、水位がほぼ一定に保たれる受水水槽１６を備えるとともに、この受水水槽１６の液面付近に焦点を結ぶように超音波を発生する超音波振動子１７を備える。この超音波振動子１７は、例えばチタン酸バリウム系の圧電素子の両面に電極を焼き付けた電歪振動子で、超音波振動子１７の下部に配置された超音波発生回路２０からの電気信号により超音速振動を発生する円形薄板である。
【００２１】
吹出空気通路６は、下流側にエバポレータファン１４の回転によって生じた空気流を、使用者に向ける２重ダクト２１を備え、この２重ダクト２１の下流端の吹出口５から使用者に向けて空気流が吹き出される。
２重ダクト２１の内側は、エバポレータファン１４の回転によって生じた空気流が導かれるとともに、霧化手段４の発生した霧化水が供給される加湿風通路２２で、２重ダクト２１の外側は、エバポレータファン１４の回転によって生じた空気流が導かれるとともに、霧化水が供給されない通常風通路２３とされている。
【００２２】
ここで、内周の加湿風通路２２から加湿風を吹き出させ、外周の通常風通路２３から通常風を吹き出させた理由を説明する。
まず、本実施例とは逆に、中央部から通常風を吹き出させ、その周囲から加湿風を吹き出させた場合（周囲吹出タイプ）、吹出口５から使用者までに加湿風が拡散してしまい、加湿風による冷却能力が大変低い。また、加湿風通路２２と通常風通路２３との区別を無くし、共通の吹出口５から加湿風を含む空気を吹き出させた場合（混合吹出タイプ）でも、周囲吹出タイプほどではないが、吹出口５から使用者までに加湿風の一部が拡散し、加湿風による冷却能力が低い。
【００２３】
これに対し、本実施例で採用したように、中央部から加湿風を吹き出させ、周囲から通常風を吹き出させた場合（中央吹出タイプ）、加湿風の周囲の空気も使用者に向けられるため、他の吹出タイプに比較して冷却風の到達性が最も優れ、加湿風による冷却能力が高い。
そこで、本実施例では、加湿風による冷却能力（冷却風の到達性）の優れた中央吹出タイプを採用している。
【００２４】
２重ダクト２１の吹出口５には、図２ないし図６に示すように、通常風通路２３内に、加湿風通路２２の吹出端側と連通して加湿風通路２２内の結露水を吸水する複数の蒸発材２４が放射状に配置されている。蒸発材２４は、不織布、耐水性の厚紙など、丈夫で吸水性および蒸発性に優れた平板状のもので、内側下方が加湿風通路２２の吹出端側に形成された切欠部２５に差し込まれることによって、蒸発材２４が加湿風通路２２内と連通し、加湿風通路２２内の結露水が蒸発材２４に供給、吸収される。この蒸発材２４は、加湿風通路２２の周囲に風の流れ方向に沿って形成された側面ガイド２６に保持されるとともに、吹出口５側から通常風通路２３に取り付けられる吹出リング２７の内側に形成された端部ガイド２８によって、加湿風通路２２と通常風通路２３の間で放射状に保持される。
【００２５】
本実施例の制御装置は、送風運転、冷凍サイクル３による冷房運転のみ、霧化手段４による加湿冷風運転のみ、冷房運転＋加湿冷風運転の何れかに使用者によって設定可能な運転モード信号、使用者によって設定される設定温度信号、使用者によって設定される風量設定信号、およびエバポレータ２に吸い込まれる空気の温度を検出する吸込温度センサ（図示しない）の吸込温度信号などを入力して、スポット冷風機１の各電気機能部品（例えば、コンプレッサ１２を駆動する電動モータ、送風手段９を作動させるモータ１３、超音波振動子１７を作動させる超音波発生回路２０など）の通電制御を行うものである。
【００２６】
制御装置には、使用者によって、冷房運転と加湿冷風運転との両方が選択された際に、エバポレータ２に吸い込まれる空気の温度が、使用者によって設定された設定温度以上の場合にのみ冷凍サイクル３を作動させる温調制御手段が設けられている。
【００２７】
この温調制御手段の作動を図７のフローチャートを用いて説明する。
運転中（スタート）、使用者によって操作される運転モード信号が、冷房運転＋加湿冷風運転であるか否かの判断を行う（ステップＳ1 ）。この判断結果がYES の場合は、エバポレータ２に吸い込まれる空気の吸込温度が、設定温度以上か否かの判断を行う（ステップＳ2 ）。
【００２８】
このステップＳ2 の判断結果がYES の場合は、コンプレッサ１２を駆動する電動モータ、送風手段９を作動させるモータ１３、超音波振動子１７を作動させる超音波発生回路２０を全てONし、冷房運転＋加湿冷風運転を実施し（ステップＳ3 ）、その後リターンする。
逆に、ステップＳ2 の判断結果がNOの場合は、送風手段９を作動させるモータ１３と超音波振動子１７を作動させる超音波発生回路２０とをONし、コンプレッサ１２を駆動する電動モータはOFF して、加湿冷風運転のみを実施し（ステップＳ4 ）、その後リターンする。
【００２９】
〔実施例の作動〕
（スポット冷風機１の作動説明）
次に、冷房運転と加湿冷風運転との同時作動を説明する。なお、冷房運転と加湿冷風運転との同時作動時は、コンプレッサ１２を駆動する電動モータ、送風手段９を作動させるモータ１３、超音波振動子１７を作動させる超音波発生回路２０が全て作動するものである。
【００３０】
冷凍サイクル３が作動することにより、エバポレータ２内に低温低圧の霧状冷媒が供給され、エバポレータ２内の霧状冷媒が、エバポレータ２を通過する空気から潜熱を奪って蒸発する。このため、送風手段９のエバポレータファン１４が発生した空気流は、エバポレータ２を通過する際に冷却されて冷風になる。
なお、エバポレータ２を通過した冷風は、吹出空気通路６内を流れ、加湿風通路２２と通常風通路２３とに分流する。
【００３１】
加湿風通路２２を流れる冷風は、霧化手段４から霧化水が供給されて加湿風となって、２重ダクト２１の中央部から吹き出される。また、通常風通路２３を流れる冷風は、霧化水が供給されることなく、そのままの冷風（通常風）として、加湿風通路２２の周囲の通常風通路２３から吹き出される。つまり、吹出口５の中央部から冷風をベースとした加湿風、その周囲から冷風（通常風）が使用者に向けてスポット的に吹き出される。
【００３２】
加湿風に含まれる霧化水は、霧化水と一緒に流れる冷風から潜熱を奪って蒸発するため、加湿風の温度が低下する。そして、この温度低下した加湿風が冷風（通常風）に覆われて使用者に向けてスポット的に吹き出されることにより、温度の低い加湿風が使用者到達前に周囲に拡散することが防がれ、温度の低い加湿風が使用者に届けられる。これにより、使用者に高い冷風感を与えることができる。
【００３３】
このことを、図８を用いて説明する。図８の実線Ａは、冷凍サイクル３の冷房運転のみにおける使用者の冷風の到達温度と、吹出口５と使用者との距離との関係を示すもので、図８の実線Ｂは、冷房運転＋加湿冷風運転における使用者の冷風の到達温度と、吹出口５と使用者との距離との関係を示すものである。
このグラフから明らかなように、冷房運転と一緒に加湿冷風運転を行うことにより、冷房運転では得ることのできなかった温度差を使用者に与えることができる。なお、図８のデータは、測定環境温度２０℃、測定環境湿度６０％の条件下で行った実験結果である。
【００３４】
なお、霧化手段４による霧化量を増減させることにより、霧化水（白霧）の到達距離を調節することが可能になり、使用者までの距離に合わせた冷風をつくり出すことができる。この霧化量の増減手段の一例としては、超音波振動子１７の使用個数を増減する手段や、超音波振動子１７の出力を調節する手段等があり、この霧化量の増減手段を本実施例に採用しても良い。
【００３５】
（蒸発材２４の作用説明）
次に、蒸発材２４の作用を説明する。
２重ダクト２１の加湿風通路２２内には霧化水を含んだ加湿風が流れるため、霧化水が加湿風通路２２の内壁に接触し、加湿風通路２２内に結露水が付着する。この結露水が成長すると、加湿風通路２２を流れる風により、成長した結露水（水滴）が吹出口５から吹き出ようとする。
【００３６】
しかるに、加湿風通路２２内を吹出口５へ向かう結露水は、図３の矢印に示すように、加湿風通路２２の切欠部２５から蒸発材２４に供給、吸収される。そして、蒸発材２４に吸収された結露水は、通常風通路２３内を流れる通常風によって蒸発し、通常風とともに使用者に向けて吹き出される。
【００３７】
〔実施例の効果〕
本実施例では、上記蒸発材２４の作用で示したように、加湿風通路２２内に発生した結露水は、蒸発材２４に吸収されて通常風通路２３を流れる通常風によって蒸発するため、加湿風通路２２内に付着した結露水が加湿風通路２２から吹き出されない。このように、結露水が吹出口５から吹き出されないため、結露水が床を濡らしたり、結露水が使用者に付着して使用者に不快感を与えることがない。
また、結露水が蒸発材２４から蒸発する際、結露水が通常風から潜熱を奪って蒸発するため、通常風の温度を下げる効果も奏する。
【００３８】
ここで、従来使用されているスポット冷風機は、送風運転と、冷房運転との２モードであったが、本実施例のスポット冷風機１は、加湿冷風手段を用いることにより、送風運転と、冷房運転との２モードの他に、加湿冷風運転と、冷房運転＋加湿冷風運転との２モードが加わった。
このため、上記スポット冷風機１の作用で示したように、冷房運転＋加湿冷風運転により、従来に比較して遠くの作業者まで冷風を到達させることが可能になった。
【００３９】
また、加湿冷風運転のみを行って作業者に冷風を与えることができる。加湿冷風運転のみによる冷風運転は、冷房運転に比較して大変小さな消費エネルギーで済むため、電力消費を低く抑える冷風運転が可能になる。また、加湿冷風運転のみによる冷風運転は、冷房運転のみによる冷風よりも冷却度合が低いため、冷えすぎを防ぐことができる。
このように、本実施例のスポット冷風機１は、冷風による冷却度合を広く選択できるため、使い勝手に大変優れる。
【００４０】
〔第２実施例〕
図９は第２実施例を示す吊り下げ型のスポット冷風機１の要部断面図である。本実施例のスポット冷風機１は、冷凍サイクル３および送風手段９からなる本体３０が天井の下面に設置または吊り下げられるもので、この本体３０から下方に延びる吹出空気通路６の途中に、霧化手段４が設けられている。
【００４１】
本実施例の加湿風通路２２は、霧化手段４で上方に向けて発生した霧化水を一旦、水平方向に導いた後に、下方の吹出口５へ導くもので、水平方向から下方へ加湿風の方向を変更する箇所には、水平方向の加湿風通路２２内で結露した結露水が、下方向の加湿風通路２２内に進入しないように、関３１が立ち上げられている。
【００４２】
霧化手段４の受水水槽１６に水を補給する手段としては、図１０に示すように、使用者によって水を補給する水タンク３２を用いても良いし、図１１に示すように、受水水槽１６内の水位を水位センサ３３で検出し、水位センサ３３の検出水位が所定水位以下に低下した際、制御装置３４が水道３５に設けられた電磁弁３６を開弁して、受水水槽１６内の水位を所定水位まで回復させるように設けても良い。
【００４３】
なお、図１０に示す水タンク３２による水の補給手段を採用する場合、本体３０内のエバポレータ（図示しない）で発生したドレン水を、水タンク３２内に供給するように設けても良い。また、図１１に示す水道３５を用いた水の補給手段を採用する場合、本体３０内のエバポレータ（図示しない）で発生したドレン水を受水水槽１６へ導くパイプ（水道３５）を設け、そのパイプを電磁弁３６で開閉するように設けても良い。
【００４４】
〔第３実施例〕
図１２は第３実施例を示す吊り下げ型の加湿冷風機の断面図である。
本実施例は、冷凍サイクルを廃止し、送風手段９、霧化手段４、加湿風通路２２および通常風通路２３を含む吹出空気通路６のみで構成した吊り下げ型の加湿冷風機４０である。
この加湿冷風機４０は、冷凍サイクルを搭載しないため、大変小型化が可能であるとともに、冷凍サイクルの作動に比較して素早く冷風が吹き出され、消費電力も小さく済む。
このため、トイレ、洗面所、電話ボックスなど、対人用スポット冷風機として大変適する。
【００４５】
〔第４実施例〕
図１３は第４実施例を示す２重ダクト２１の要部断面図である。
本実施例の加湿風通路２２は、加湿風の流れ方向に対して垂直方向に変形可能な可撓性のゴムホース４１を用いている。この加湿風通路２２を構成するゴムホース４１は、少なくとも内周面が平滑なものである。また、通常風通路２３は、常温風の流れ方向に対して垂直方向に変形可能で、且つ変形状態を保つ蛇腹形状の樹脂製フレキシブルダクト４２を用いたものである。
【００４６】
この実施例のように、加湿風通路２２をゴムホース４１、通常風通路２３をフレキシブルダクト４２を用いて形成することで、吹出口５から吹き出される通常風および加湿風の吹出方向を変化させることができる。つまり、本実施例を採用することにより、加湿風および通常風の吹出方向を、使用者の位置や好み等によって変更することができる。
また、この実施例では、ゴムホース４１の内周面が平滑であるため、ゴムホース４１に代えてフレキシブルダクトで形成する場合に比較して、加湿風通路２２内で発生する結露水を抑えることができる。
【００４７】
〔第５実施例〕
図１４は第５実施例を示す車両用空気調和装置５０の概略断面図である。
本実施例は、車両に搭載される車両用空気調和装置５０に霧化手段４を搭載し、空調ダクト５１の吹出口５（例えばフェイス吹出口）の中央部から、加湿風を吹き出させるものである。霧化手段４は、特に夏期におけるエンジン始動時などの急速冷房時に作動させるのが好適で、車両エバポレータ２の冷却作用よりも素早く乗員に冷風感を与える。そして、エバポレータ２の作動が安定した後は、霧化量を制御して車室内の湿度制御を行うものである。なお、図中符号５２はヒータコアで、その上流のドア５３は、吹出温度を調節する吹出温度調節手段である。
【００４８】
〔第６実施例〕
図１５は第６実施例を示す吹出口近傍の２重ダクト２１の断面図である。
上記の実施例では、蒸発材２４を平板状に形成した例を示したが、本実施例の蒸発材２４は、断面円弧状に形成して、蒸発材２４の蒸発面積を大きくし、結露水の蒸発容量を多くしたものである。
【００４９】
〔第７実施例〕
図１６は第７実施例を示す加湿風通路２２および蒸発材２４の斜視図である。上記の実施例では、吹出口近傍の加湿風通路２２と蒸発材２４とを別体に設け、加湿風通路２２の周囲に蒸発材２４を取り付けた例を示したが、本実施例では、吹出口近傍の加湿風通路２２と蒸発材２４とを吸水性と蒸発性に優れた丈夫な材質によって一体に成形したものである。これによって、加湿風通路２２に発生した結露水が確実に加湿風通路２２および蒸発材２４に吸収され、通常風通路を流れる通常風によって蒸発する。
【図面の簡単な説明】
【図１】置型のスポット冷風機の断面図である（第１実施例）。
【図２】吹出口の正面図である（第１実施例）。
【図３】図２のＡ−Ａ線に沿う断面図である（第１実施例）。
【図４】図２のＢ−Ｂ線に沿う断面図である（第１実施例）。
【図５】図３のＸ−Ｘ線に沿う断面図である（第１実施例）。
【図６】図３のＹ−Ｙ線に沿う断面図である（第１実施例）。
【図７】温調制御手段の作動を示すフローチャートである（第１実施例）。
【図８】冷風の到達温度と使用者までの距離との関係を示すグラフである（第１実施例）。
【図９】吊り下げ型のスポット冷風機の断面図である（第２実施例）。
【図１０】水タンクを用いて水を供給する吊り下げ型のスポット冷風機の断面図である（第２実施例）。
【図１１】水道を用いて水を供給する吊り下げ型のスポット冷風機の断面図である（第２実施例）。
【図１２】吊り下げ型の加湿冷風機の断面図である（第３実施例）。
【図１３】２重ダクトの断面図である（第４実施例）。
【図１４】車両用空気調和装置の断面図である（第５実施例）。
【図１５】蒸発材を含む２重ダクトの断面図である（第６実施例）。
【図１６】加湿風通路および蒸発材の斜視図である（第７実施例）。
【符号の説明】
１  スポット冷風機（空気調和装置）
２  エバポレータ（冷却手段）
４  霧化手段
５  吹出口
９  送風手段
２１  ２重ダクト
２２  加湿風通路
２３  通常風通路
２４  蒸発させる蒸発材
【図１】
0003637607.tif 000002
【図２】
0003637607.tif 000003
【図３】
0003637607.tif 000004
【図４】
0003637607.tif 000005
【図５】
0003637607.tif 000006
【図６】
0003637607.tif 000007
【図７】
0003637607.tif 000008
【図８】
0003637607.tif 000009
【図９】
0003637607.tif 000010
【図１０】
0003637607.tif 000011
【図１１】
0003637607.tif 000012
【図１２】
0003637607.tif 000013
【図１３】
0003637607.tif 000014
【図１４】
0003637607.tif 000015
【図１５】
0003637607.tif 000016
【図１６】
0003637607.tif 000017